(57)【要約】【課題】２つのグループからなるＬＥＤ電球の色温度調節のための色変換装置を有する照明装置を提供する。【解決手段】本発明の色変換装置を有する照明装置は、電力を供給する電源と、前記電源から電力を供給または遮断するオン・オフスイッチと、前記スイッチのオン・オフスイッチングによって前記電源から電力の供給を受け、光を発光する光源部と、前記光の色温度を調節するための色変換装置とを有する照明装置において、前記光源部は、低色温度の光を発する第１発光部と高色温度の光を発する第２発光部とを備え、前記スイッチが一定時間内に動作するオン・オフスイッチング動作によって前記第１発光部または第２発光部が選択されて点灯することを特徴とする。【選択図】図１
2016162753.tif 000002
【特許請求の範囲】
【請求項１】
電力を供給する電源と、前記電源から電力を供給または遮断するオン・オフスイッチと、前記スイッチのオン・オフスイッチングによって前記電源から電力の供給を受け、光を発光する光源部と、前記光の色温度を調節するための色変換装置とを有する照明装置において、
前記光源部は、低色温度の光を発する第１発光部と高色温度の光を発する第２発光部とを備え、
前記スイッチが一定時間内に動作するオン・オフスイッチング動作によって前記第１発光部または第２発光部が選択されて点灯することを特徴とする、色変換装置を有する照明装置。
【請求項２】
前記スイッチが一定時間内に動作するオン・オフスイッチング動作によって前記第１発光部または第２発光部が選択されて点灯することは、前記オン・オフスイッチング動作をカウントして、１番目のオンである場合には第１発光部が点灯し、２番目のオンである場合には第２発光部が点灯することを特徴とする、請求項１に記載の色変換装置を有する照明装置。
【請求項３】
電力を供給する電源と、
前記電源からオン・オフスイッチを介して電力の供給を受け、ＤＣ電力へ出力する電源供給装置と、
前記電源供給装置から電力の供給を受け、一定時間の間一定電圧を供給する定電圧およびタイマー回路と、
前記定電圧およびタイマー回路において前記一定時間の間供給される電圧の信号と前記電源供給装置から出力されるＤＣ電圧の信号を受け、前記オン・オフスイッチで操作されるスイッチング動作を判断して、第１の信号または第２の信号を出力するフリップフロップと、
前記フリップフロップの第１の信号または第２の信号に応じてそれぞれ発光する第１の色温度を持つ第１発光部、および第２の色温度を持つ第２発光部からなる光源部とを含んでなることを特徴とする、色変換装置を有する照明装置。
【請求項４】
前記フリップフロップの第１の信号と第２の信号は、駆動部によって増幅されて第１発光部および第２発光部を点灯させることを特徴とする、請求項３に記載の色変換装置を有する照明装置。
【請求項５】
前記第１発光部および第２発光部がＬＥＤ素子であることを特徴とする、請求項１〜４のいずれか１項に記載の色変換装置を有する照明装置。
【発明の詳細な説明】
【技術分野】
【０００１】
本発明は、色変換装置を有する照明装置に係り、さらに詳細には、２つのグループからなるＬＥＤ電球の色温度調節のための色変換装置を有する照明装置に関する。
【背景技術】
【０００２】
一般に、発光ダイオード（Ｌｉｇｈｔ Ｅｍｉｔｔｅｄ Ｄｉｏｄｅ、以下「ＬＥＤ」という。）は、基本的にｐ型とｎ型半導体の接合からなっており、電圧を加えると、電子と正孔の結合により半導体のバンドギャップ（ｂａｎｄｇａｐ）に該当するエネルギーを光の形で放出する一種の光電子素子（ｐｈｏｔｏｅｌｅｃｔｒｏｎｉｃ ｄｅｖｉｃｅ）である。
【０００３】
このようなＬＥＤは、フラッシュ用高輝度光源、携帯用電子機器（携帯電話、カムコーダー、デジタルカメラ、およびＰＤＡ）に使用される液晶ディスプレイ（ＬＣＤ）のバックライト（ｂａｃｋ ｌｉｇｈｔ）、電光板用光源、照明およびスイッチ照明光源、表示灯、交通信号灯の光源としてその使用範囲が日増しに拡大しており、特に省電力のために蛍光灯に代わる次世代照明として脚光を浴びている。
【０００４】
一般な白色ＬＥＤの製造方法は、青いＬＥＤチップに黄色系の蛍光物質を塗布して製作するが、前述したような方法は、特定の色温度（一般に、３０００Ｋ、４０００Ｋ、５０００Ｋ、６０００Ｋ）のＬＥＤを製作するとき、多量の蛍光物質を機構的に青いＬＥＤチップに封止材と共に塗布する方法である。
【０００５】
従来、色温度調節が可能なＬＥＤ照明を製造するために、特許文献１と特許文献２が提案されたことがある。前記従来の色温度調節が可能な照明装置は、赤（ＲＥＤ）、緑（ＧＲＥＥＮ）、青（ＢＬＵＥ）色のＬＥＤを用いて所望の色温度を実現するために、波長調節、電流調節、電圧調節、明るさ調節などを一度に行わなければならないため、色温度調節を正確に行うことができない不便さがあった。
【０００６】
また、色温度調節の他の方法では、所望の色を実現するために、蛍光物質の含まれている充填（封止）材を塗布して電気光学的な色温度選別作業を介して分離されたＬＥＤをプリント基板（ＰＣＢ）に多数配列し、電流制御を介して駆動するために電源部を備える。また、放熱および前記ＬＥＤ保護のために、外装ケースに電源部が含まれた一体型に製作された後、光学的な選別作業を経て出荷される。
【０００７】
このとき、様々な種類の色相と温度を持つＬＥＤを多数配列する場合、多数のＬＥＤの発光特性は、常に同じでなければ均一な光源を得ることができないので、出荷されたＬＥＤ単品の選別された一部のみが使用され、選別されたＬＥＤも数量が限定的なので、生産量を増加させるには限界があるうえ、生産コストを削減するにも限界があった。
【０００８】
また、従来技術によれば、選択的特定の色温度を持つＬＥＤチップのみを表面実装して照明アレイモジュールを製作しなければならないので、色温度ごとに別途の工程が要求されて照明の製造工程が複雑になるという問題点があった。
【先行技術文献】
【特許文献】
【０００９】
【特許文献１】大韓民国登録特許公報第１０８５２３０号
【特許文献２】大韓民国公開特許公報第２０１４−１１２６３７号
【発明の概要】
【発明が解決しようとする課題】
【００１０】
そこで、本発明は、前述したような従来の問題点を解決するためのもので、その目的は、２つのグループからなる電球の色温度を変換するための色変換装置を有する照明装置を提供することにある。
【００１１】
また、本発明の他の目的は、簡単な構造でＬＥＤ照明の節電のために、光の色温度を変換する色変換装置を有する照明装置を提供することにある。
【課題を解決するための手段】
【００１２】
上記目的を達成するために、本発明の色変換装置を有する照明装置は、電力を供給する電源と、前記電源から電力を供給または遮断するオン・オフスイッチと、前記スイッチのオン・オフスイッチングによって前記電源から電力の供給を受け、光を発光する光源部と、前記光の色温度を調節するための色変換装置とを有する照明装置において、前記光源部は、低色温度の光を発する第１発光部と高色温度の光を発する第２発光部とを備え、前記スイッチが一定時間内に動作するオン・オフスイッチング動作によって前記第１発光部または第２発光部が選択されて点灯することを特徴とする。
【００１３】
また、本発明に係る色変換装置を有する照明装置において、前記スイッチが一定時間内に動作するオン・オフスイッチング動作によって前記第１発光部または第２発光部が選択されて点灯することは、前記オン・オフスイッチング動作をカウントして、１番目のオンである場合には第１発光部が点灯し、２番目のオンである場合には第２発光部が点灯することを特徴とする。
【００１４】
上記目的を達成するために、本発明の色変換装置を有する照明装置は、電力を供給する電源と、前記電源からオン・オフスイッチを介して電力の供給を受け、ＤＣ電力へ出力する電源供給装置と、前記電源供給装置から電力の供給を受け、一定時間の間一定電圧を供給する定電圧およびタイマー回路と、前記定電圧およびタイマー回路において前記一定時間の間供給される電圧の信号と前記電源供給装置から出力されるＤＣ電圧の信号を受け、前記オン・オフスイッチで操作されるスイッチング動作を判断して、第１の信号または第２の信号を出力するフリップフロップと、前記フリップフロップの第１の信号または第２の信号に応じてそれぞれ発光する第１の色温度を持つ第１発光部および第２の色温度を持つ第２発光部からなる光源部とを含むことを特徴とする。
【００１５】
また、本発明に係る色変換装置を有する照明装置において、前記フリップフロップの第１の信号と第２の信号は、駆動部によって増幅されて第１発光部および第２発光部を点灯させることを特徴とする。
【００１６】
また、本発明に係る色変換装置を有する照明装置において、前記第１発光部および第２発光部はＬＥＤ素子であることを特徴とする。
【発明の効果】
【００１７】
本発明に係る色変換装置を有する照明装置によれば、電球が２つのグループからなり、必要な光の色温度を選択して照明することにより、無駄な電力の浪費を防ぐことができるという効果が得られる。
【図面の簡単な説明】
【００１８】
【図１】本発明に係る色変換装置を有する照明装置のブロック図である。
【図２】本発明に係る色変換装置を有する照明装置の具体的な回路図である。
【図３】本発明で使用されるフリップフロップの真理値表（ｔｒｕｔｈ ｔａｂｌｅ）である。
【図４】本発明に係る色変換装置を有する照明装置で使用される光源部の概念図である。
【発明を実施するための形態】
【００１９】
まず、本発明の概念について説明する。
【００２０】
図１は本発明に係る色変換装置を有する照明装置のブロック図である。
【００２１】
図１において、図面符号１００は色変換装置を有する照明装置である。
【００２２】
色変換装置を有する照明装置１００は、図１に示すように、既存の配管配線が施されており、タンブラスイッチなどのスイッチが設けられている室内照明装置として使用される。
【００２３】
１００ｖまたは２２０ｖの交流電源１２０が供給され、スイッチ１２５を介して色変換装置を有する照明装置１００が連結されている。
【００２４】
このような本発明に係る色変換装置を有する照明装置１００は、スイッチ１２５のオン・オフ操作によって点灯および消灯する。したがって、本発明に係る色変換装置を有する照明装置１００は、既存に使用した電球に代替して使用することができる。
【００２５】
そして、色変換装置を有する照明装置１００は、図４に示すように、２つのグループからなる一つの光源、すなわち、第１発光部１８２および第２発光部１８４を備えた光源部１８０（電球）を含む。本発明の実施例において、第１発光部１８２は３,０００ＫのＬＥＤであり、第２発光部１８４は５,７００ＫのＬＥＤである。
【００２６】
以下で具体的に説明されるように、光源１８０の第１発光部１８２と第２発光部１８４は、別途点灯する。
【００２７】
これらの点灯作動では、スイッチ１２５をオンにすると、低色温度の光を発する第１発光部１８２が点灯し、スイッチ１２５をオフにした後、１分以内にオンにすると、高色温度の光を発する第２発光部１８４が点灯する。
【００２８】
スイッチ１２５をオフにして１分以上経過した後、スイッチ１２５を再びオンにすると、第１発光部１８２が再び点灯する。
【００２９】
したがって、本発明に係る色変換装置を有する照明装置１００は、室内の照明を暗くしようとするときには、スイッチ１２５を一度だけオンにして第１発光部１８２を点灯させ、室内の照明を明るく保持しようとするときには、スイッチ１２５をオンにした後、オフにしてから１分以内に再びオンにして５,７００ＫのＬＥＤの第２発光部１８４を点灯させる。
【００３０】
ここで、１分は実際の現場の状況に応じて数秒〜数十秒、それ以上の必要な時間を設定して使用することができる。
【００３１】
このような操作により、光の色温度を選択して照明することにより、無駄な電力の浪費を防ぐことができる。
【００３２】
以下、本発明の実施例を具体的に説明する。
【００３３】
図１において、図面符号１３０はスイッチングモード電源供給装置（ＳＭＰＳ：ｓｗｉｔｃｈｉｎｇ ｍｏｄｅ ｐｏｗｅｒ ｓｕｐｐｌｙ、以下「ＳＭＰＳ」という）である。ＳＭＰＳ１３０は通常の電源供給装置であって、本発明ではＡＣ１００〜２２０ｖ入力、ＤＣ３８ｖ出力の製品を使用した。
【００３４】
図面符号１４０は定電圧およびタイマー回路である。定電圧およびタイマー回路１４０は、図３に示すように、定電圧を維持するためのツェナーダイオードＺ１と、ＳＭＰＳ１３０から供給されるＤＣ３８ｖ電源が遮断された場合、一定時間の間フリップフロップ１４５に電力を供給するためのキャパシタＣ２を含む。前述したスイッチ１２５をオンにした後、オフにしてから再びオンにするまでの一定時間は、キャパシタＣ２の容量によって設定される。
【００３５】
図面符号１４５は、第１フリップフロップ１４７と第２フリップフロップ１４９からなるフリップフロップ回路である。フリップフロップ回路１４５は、図３に示すような真理値表の値を持つ。フリップフロップ１４５は、ＳＭＰＳ１３０の出力電圧を信号として受け、定電圧およびタイマー回路１４０から信号を受ける。
【００３６】
定電圧およびタイマー回路１４０とフリップフロップ回路１４５は、図面符号１５０で示す論理回路となる。
【００３７】
2016162753.tif 000003
【００３８】
図面符号１８０は、駆動部１７０の第１駆動部１７２および第２駆動部１７４の出力によりそれぞれ点灯する第１発光部１８２および第２発光部１８４からなる光源部である。
【００３９】
第１駆動部１７２と第１発光部１８２は第１コネクタ１６２によって、第２駆動部１７４と第２発光部１８４は第２コネクタ１６４によってそれぞれＳＭＰＳ１３０の出力に連結されている。
【００４０】
このようなＳＭＰＳ１３０と論理回路１５０の真理値による出力結果は、下記表１のとおりである。
【００４１】
【表１】
2016162753.tif 000004
【００４２】
表１において、手順１は、スイッチ１２５がオフになっている状態である。スイッチ１２５がオフになっているので、色変換装置を有する照明装置１００には電源が供給されない。
【００４３】
2016162753.tif 000005
【００４４】
2016162753.tif 000006
【００４５】
2016162753.tif 000007
【００４６】
手順４でスイッチ１２５をオフにする場合には、再度手順１の状態になる。
【００４７】
手順２でスイッチ１２５をオフにし、一定時間（１分）が経過すると、手順１の状態に戻った状態を維持するので、一定時間経過後に再びオンにすると、手順２の状態になる。
【００４８】
したがって、本発明に係る色変換装置を有する照明装置１００によれば、第１の色温度を持つ第１発光部１８２、および第２の色温度を持つ第２発光部１８４を備えた光源部１８０を必要な温度に応じて点灯させることができるという効果がある。
【産業上の利用可能性】
【００４９】
本発明に係る色変換装置を有する照明装置は、室内照明、屋外照明、特殊照明などといった他のすべての照明分野で有用に使用することができる。
【符号の説明】
【００５０】
１００  照明装置
１２０  電源
１２５  スイッチ
１３０  スイッチングモード電源供給装置（ＳＭＰＳ）
１４０  定電圧およびタイマー回路
１５０  論理回路
１５２  第１論理回路
１５４  第２論理回路
１６０  コネクタ
１６２  第１コネクタ
１６４  第２コネクタ
１７０  駆動部
１７２  第１駆動部
１７４  第２駆動部
１８０  光源部
１８２  第１発光部
１８４  第２発光部
【図１】
2016162753.tif 000008
【図２】
2016162753.tif 000009
【図３】
2016162753.tif 000010
【図４】
2016162753.tif 000011